(57)【特許請求の範囲】
【請求項１】
略筒形状に形成されたケースと、コイルワイヤで構成されると共に前記ケースに収納されたコイルと、第１の端部が前記コイルワイヤの両端部にそれぞれ接続された第１及び第２のリード線と、基端部側が前記第１及び前記第２のリード線の第２の端部にそれぞれ接続された第１及び第２の端子を備えたコネクタとを有するソレノイドであって、
前記コネクタは、基端部側が前記ケースに圧入又はねじ込みによって固定された基盤部と、略筒形状に形成されると共に基端部側が前記基盤部に着脱可能に固定され、前記第１及び前記第２の端子の中間部及びその近傍を保持すると共に前記ケースの中心軸と平行となる方向に延びるように設けられた本体部をさらに備え、
前記ケースは、内周面の前記基盤部寄りの部位に段差部が形成され、
前記ケースに対して前記段差部に接するように圧入されると共に、前記第１及び前記第２のリード線、又は、前記コイルワイヤの前記両端部の近傍部分を挿通するための貫通孔が形成された内蓋をさらに有し、
前記コネクタは、前記基盤部が前記ケースに対して前記内蓋に接するように圧入され、前記本体部が側壁部と底部とを備え、かつ、先端側に開口した有底筒状に形成され、前記底部が前記第１と前記第２の端子とを平行に、かつ、所定間隔に保持すると共に基端側の面に凹部が形成されていることを特徴とするソレノイド。
【請求項２】
前記コネクタは、前記基盤部において、前記基盤部の先端側に開口している第１及び第２のネジ孔が形成され、
前記本体部において、前記本体部の中心軸方向における中間部又はその近傍となる位置に前記第１及び前記第２のネジ孔の中心軸に沿って延びるようにそれぞれ形成された第１及び第２の筒状部と、
前記第１及び前記第２の筒状部を介して前記第１及び前記第２のネジ孔にねじ込まれた第１及び第２のネジをさらに備えていることを特徴とする請求項１に記載のソレノイド。
【請求項３】
前記コネクタは、前記基盤部と前記第１及び前記第２の筒状部との間に介在するように配置された第３及び第４の筒状部と、前記第３及び前記第４の筒状部を連結する連結部とからなるスペーサ部をさらに備え、
前記第１及び前記第２のネジは、前記第１及び前記第２の筒状部、並びに、前記第３及び前記第４の筒状部を介して前記第１及び前記第２のネジ孔にそれぞれねじ込まれていることを特徴とする請求項２に記載のソレノイド。
【発明の詳細な説明】
【技術分野】
【０００１】
本発明は、ソレノイドに関し、特にコネクタが一体的に設けられた構成を有するソレノイドに関する。
【背景技術】
【０００２】
近年、ソレノイドの実装を容易にするために、コネクタを一体的に設けているものが多くなっている。このようなソレノイドにおいては、コネクタとリード線との接続を容易にすることを意識した発明が多くなされている。すなわち、各種のソレノイドにおいて、小型化のための改良がなされている。ソレノイドを小型化すると、ケース内部の余剰空間の容積が減少し、コネクタとリード線とをハンダ付け等によって接続することが次第に困難になっている。そこで、コネクタとリード線との接続作業を容易にすること自体が課題となっている。
【０００３】
図１４は、従来技術に係るソレノイドの一例を示す断面図である。図１４において、２００はソレノイド、２０１はボビン、２０２は第１のコイルターミナル、２０３は外部接続部、２０４はリード線絡げ部、２０５は第２のコイルターミナル、２０６は外部接続部、２０７はリード線絡げ部、２０８はコネクタ部、２０９は第１のフランジ部、２１０は第２のフランジ部、２１１は第３のフランジ部、２１２は第４のフランジ部、２１３はケース、２１４は可動磁極、２１５は固定磁極、２１６はコイルである。
【０００４】
図１４は、特開２００２−４３１２２公報において開示されている発明である。ソレノイド２００は、図１４に示すように、ケース２１３に、ボビン２０１、可動磁極２１４、固定磁極２１５、コイル２１６などを設けている。ボビン２０１は、第１のフランジ部２０９と第２のフランジ部２１０との間にコイルを設けており、第３のフランジ部２１１及び第４のフランジ部２１２よりも外側にコネクタ部２０８を設けている。さらに、コネクタ部２０８には、外部との電気的接続を確保するための第１のコイルターミナル２０２及び第２のコイルターミナル２０５が設けられている。第１のコイルターミナル２０２及び第２のコイルターミナル２０５は、コネクタ部２０８から外方に突出している外部接続部２０３及び外部接続部２０６と、これらと一体にリード線絡げ部２０４及びリード線絡げ部２０７を備えている。リード線絡げ部２０４及びリード線絡げ部２０７は、外部接続部２０３及び外部接続部２０６に対して折り曲まげて形成されており、かつ、第４のフランジ部２１２よりも外側に配置されている。なお、リード線絡げ部２０４及びリード線絡げ部２０７は、リード線を絡げてから折り曲げられる。
【０００５】
以上の構成によれば、まずボビン２０１の外側にあるリード線絡げ部２０４及びリード線絡げ部２０７に２本のリード線をそれぞれ絡げ、次に２本のリード線に対してコイル２０１６のコイルワイヤ端部を接続し、最後にリード線絡げ部２０４及びリード線絡げ部２０７を折り曲げてケース２１３に対してボビン２０１を装着するという手順で組み立てることができる。したがって、コイルターミナル、リード線及びコイルワイヤ端部の相互の接続作業が容易に行えるという利点がある。
【０００６】
ところで、最近では、ソレノイドを実装する機器の改良時などに、コネクタの突出している方向を変更したり、コネクタのケースから突出している長さを変更することによってソレノイドの全長を変更したりすることを求められることが多くなっている。すなわち、ソレノイドに求められる性能自体には変更がないが、ソレノイドの全長を１．２ｍｍ長くするためにコネクタを１．２ｍｍさらに突出させる、あるいは、コネクタをソレノイドの中心軸方向でなく、中心軸に対して９０度傾いた方向に向けるなどの変更である。図１４に示した構成においてこのような変更を行うためには、ボビン２０１の金型を新たに製作する必要があり、ソレノイドの製造コストが増大することになる。
【先行技術文献】
【特許文献】
【０００７】
【特許文献１】特開２００２−４３１２２公報
【発明の概要】
【発明が解決しようとする課題】
【０００８】
本発明は、上記課題を解決するために、ソレノイドにおいて、コネクタとリード線との接続作業を容易にできると共に、コネクタの突出している方向を変更する、又は、コネクタのケースから突出している長さを変更することが可能な構造を有するソレノイドを提供することを目的とする。
【課題を解決するための手段】
【０００９】
請求項１に記載の発明は、略筒形状に形成されたケースと、コイルワイヤで構成されると共に前記ケースに収納されたコイルと、第１の端部が前記コイルワイヤの両端部にそれぞれ接続された第１及び第２のリード線と、基端部側が前記第１及び前記第２のリード線の第２の端部にそれぞれ接続された第１及び第２の端子を備えたコネクタとを有するソレノイドであって、前記コネクタは、基端部側が前記ケースに圧入又はねじ込みによって固定された基盤部と、略筒形状に形成されると共に基端部側が前記基盤部に着脱可能に固定され、前記第１及び前記第２の端子の中間部及びその近傍を保持する本体部をさらに備えていることを特徴とするソレノイドである。
【００１０】
請求項２に記載の発明は、請求項１に記載の発明において、前記コネクタは、前記基盤部において、前記基盤部の先端側に開口している第１及び第２のネジ孔が形成され、前記本体部において、前記本体部の中心軸方向における中間部又はその近傍となる位置に前記第１及び前記第２のネジ孔の中心軸に沿って延びるようにそれぞれ形成された第１及び第２の筒状部と、前記第１及び前記第２の筒状部を介して前記第１及び前記第２のネジ孔にねじ込まれた第１及び第２のネジをさらに備えていることを特徴とするソレノイドである。
【００１１】
請求項３に記載の発明は、請求項２に記載の発明において、前記コネクタは、前記基盤部と前記第１及び前記第２の筒状部との間に介在するように配置された第３及び第４の筒状部と、前記第３及び前記第４の筒状部を連結する連結部とからなるスペーサ部をさらに備え、  前記第１及び前記第２のネジは、前記第１及び前記第２の筒状部、並びに、前記第３及び前記第４の筒状部を介して前記第１及び前記第２のネジ孔にそれぞれねじ込まれていることを特徴とするソレノイドである。
【００１２】
請求項４に記載の発明は、請求項１から請求項３のいずれか一項に記載の発明において、前記ケースは、内周面の前記基盤部寄りの部位に段差部が形成され、前記ケースに対して前記段差部に接するように圧入されると共に、前記第１及び前記第２のリード線、又は、前記コイルワイヤの前記両端部の近傍部分を挿通するための貫通孔が形成された内蓋をさらに有し、前記基盤部は、前記ケースに対して前記内蓋に接するように圧入されていることを特徴とするソレノイドである。
【００１３】
請求項５に記載の発明は、請求項４に記載の発明において、前記基盤部は、略円筒形状に形成されると共に、前記基盤部が圧入された第１の円筒状部と、前記第１の円筒状部に連続して形成されると共に、前記第１の円筒状部と反対側に向かって漸次径が大きくなるように形成された円錐台筒状部と、前記円錐台筒状部に連続して、かつ、前記第１の円筒状部よりも径が大きい略円筒形状に形成されると共に、前記ケースに対して前記内蓋に接するように圧入された第２の円筒状部からなることを特徴とするソレノイドである。
【発明の効果】
【００１４】
請求項１に記載の発明によれば、第１及び第２の端子とこれらを保持する本体部がケースに固定された基盤部に対して着脱可能であるので、装着する機器に最も適合する長さ、大きさ又は形状の第１及び第２の端子又は本体部を選択的に設けることが可能となる。したがって、第１及び第２の端子及び本体部をあらかじめ複数種類準備することによって、コネクタの突出している方向を変更する、又は、コネクタのケースから突出している長さを変更することが可能となる。
【００１５】
請求項２に記載の発明によれば、ネジによる固定に供する第１及び第２の筒状部を本体部の中心軸方向における中間部又はその近傍となる位置からから基盤部の第１及び第２のネジ孔に向かって延びるように形成されているので、第１及び第２の筒状部が本体部の先端部近傍には形成されていない。したがって、コネクタに機器側のコネクタを接続する際に、第１及び第２の筒状部が接続を妨げることがない。
【００１６】
請求項３に記載の発明によれば、スペーサ部の長さを適宜変更することによって、コネクタのケースから突出している長さを最も好ましいものに変更することができる。
【００１７】
請求項４に記載の発明によれば、ケースの段差部によって圧入深さが設定されている内蓋を基盤部の圧入深さの設定に利用するので、基盤部をケースに対して精確な位置に配置してソレノイドの組立を行うことができる。
【００１８】
請求項５に記載の発明によれば、ケースの径が相対的に大きいソレノイドに対して本発明を適用する場合においても、本体部の径を大きくせず、基盤部の径を変更するだけでよいので、同じ大きさのコネクタの本体部を径の異なるソレノイドに装着することが可能となる。
【図面の簡単な説明】
【００１９】
【図１】本発明の第１の実施の形態に係るソレノイドを示す図であり、（ａ）は平面図、（ｂ）は正面図である。
【図２】本発明の第１の実施の形態に係るソレノイドのＡ−Ａ線断面図である。
【図３】本発明の第１の実施の形態に係るソレノイドの部分拡大Ａ−Ａ線断面図である。
【図４】本発明の第１の実施の形態に係るソレノイドのコネクタの主要構成要素と内蓋の拡大断面図である。
【図５】本発明の第１の実施の形態に係るソレノイドのコネクタの組立手順を示す平面図（１）である。
【図６】本発明の第１の実施の形態に係るソレノイドのコネクタの組立手順を示す平面図（２）である。
【図７】本発明の第１の実施の形態に係るソレノイドのコネクタの組立手順を示す平面図（３）である。
【図８】本発明の第１の実施の形態に係るソレノイドのコネクタの組立手順を示す平面図（４）である。
【図９】本発明の第１の実施の形態に係るソレノイドのコネクタの組立手順を示す平面図（５）である。
【図１０】本発明の第１の実施の形態に係るソレノイドのコネクタの組立手順を示す平面図（６）である。
【図１１】本発明の第２の実施の形態に係るソレノイドの平面図である。
【図１２】本発明の第２の実施の形態に係るソレノイドの部分拡大Ｂ−Ｂ線断面図である。
【図１３】本発明の第２の実施の形態に係るソレノイドの部分拡大Ｃ−Ｃ線断面図である。
【図１４】従来技術に係るソレノイドの一例を示す断面図である。
【発明を実施するための形態】
【００２０】
図１は、本発明の第１の実施の形態に係るソレノイドを示す図であり、（ａ）は平面図、（ｂ）は正面図である。図１において、１０はソレノイド、２０は本体部、２１は側壁部、２５は第１の筒状部、２６は第２の筒状部、２７は突出部、２９は張り出し部、３０は第１の端子、３３は第２の端子、３６及び３７はネジ、４０はスペーサ部、４２は第３の筒状部、４３は第４の筒状部、４４は基盤部、６７はケース、６９は変形部、８１は接続部、８２は固定部材、８３は開口部、８４は開口部である。また、図２は、本発明の第１の実施の形態に係るソレノイドのＡ−Ａ線断面図である。図２において、３９はコネクタ、５２は円板状部、６０はコイル、６１はリード線、６２はリード線、６８は肉薄部、７０はボビン、７１は第１の鍔状部、７２は第２の鍔状部、７３は第３の鍔状部、７５は可動磁極、７７は固定磁極、７８は本体部、７９は円板状部、８０は被嵌合部、８５はシャフト、８６はスプリング、８７はスペーサ、８８はＯリングであり、その他の符号は図１と同じものを示す。
【００２１】
まず、本発明の第１の実施の形態に係るソレノイドの全体概要について説明する。本発明の第１の実施の形態に係るソレノイド１０は、コネクタ３９をケースに対して固定し、装着する機器側のコネクタにソレノイドごと差し込むことが可能であり、ダイレクトカプラ型とも呼ばれている。また、ソレノイド１０の用途は特に限定されるものではないが、車輌や建設機械、生産機械の油圧回路統に特に好ましく適用できる。また、図１に示すように、コネクタ３９は、ケース６７の中心軸に沿って直列に設けられている。ケース６７の内部には、ボビン７０、コイル６０、可動磁極７５、固定磁極７７などが設けられており、さらにシャフト８５が固定磁極７７の円板状部７９に設けられた貫通孔から突出するように構成されている。したがって、コネクタ３９は、シャフト８５が突出する側とは反対側に設けられている。ケース６７は、略円筒状に形成されており、シャフト８５が突出する側には、固定磁極７７の被嵌合部８０が圧入によって嵌合されており、コネクタ３９側には、ケース６７の肉薄部６８を湾曲させた変形部６９によってコネクタ３９の構成要素である基盤部４４が固定されている。
【００２２】
さらに、本発明の第１の実施の形態に係るソレノイドの各構成要素について詳細に説明する。図３は、本発明の第１の実施の形態に係るソレノイドの部分拡大Ａ−Ａ線断面図である。図３において、２２は内周面、２３は底部、２４は凹部、３８はＯリング、４５は第１の円筒状部、４６は円錐台筒状部、４７は第２の円筒状部、５０は内蓋、５７及び５８はＯリング、５９は円筒状スリーブ、６３及び６４はハンダ、６５はゴムブッシュ、６６は下方突出部、７４は切り欠き部、７６は凹陥部、８９は段差部であり、その他の符号は図１及び図２と同じものを示す。図４は、本発明の第１の実施の形態に係るソレノイドのコネクタの主要構成要素と内蓋の拡大断面図である。図４において、２８は環状溝部、３１は前方突出部、３２は後方突出部、３４は前方突出部、３５は後方突出部、４１は連結部、４８第１のネジ孔、４９は第２のネジ孔、５１は有底円筒状部、５３は環状溝部、５４は内周面、５５は環状切り欠き部、５６は貫通孔であり、その他の符号は図１及び図３と同じものを示す。
【００２３】
図４に示すように、この実施の形態に係るソレノイド１０のコネクタ３９は、本体部２０、スペーサ部４０及び基盤部４４を主要な構成要素としている。また、本体部２０、スペーサ部４０及び基盤部４４は、ケース６７の内部に収納されているものを保護している内蓋５０の外側（上）に対して、基端側（下側）から先端側（上側）に向かって基盤部４４、スペーサ部４０、本体部２０の順に配置されている。本体部２０は、第１の筒状部２及び第２の筒状部２６よりも下側の部分が環状に形成されたスペーサ部４０と、略筒状に形成された基盤部４４とに挿入された状態で後述する２本のネジによって固定されている。なお、後述するように、ソレノイド１０を装着する機器の状況によっては、スペーサ部４０を省略し、基盤部４４と本体部２０が接するように設けてもよい。なお、機器側のコネクタは、内周面２２に囲まれた空間内に挿入される。
【００２４】
本体部２０は、全体形状が略角筒状に形成されており、ケース６７の中心軸と平行となる方向に延びるように設けられている。さらに、本体部２０は、側壁部２１と底部２３とによって先端側に開口した有底筒状に形成されており、底部２３が後述するリード線等を収納する内側の空間と外部空間を仕切る遮蔽体として機能している。さらに、底部２３は、第１の端子３０と第２の端子３３とを平行に、かつ、所定間隔に保持する機能を持つ。すなわち、底部２３は、第１の端子３０の前方突出部３１と後方突出部３２との間の部分、及び、第２の端子３３の前方突出部３４と後方突出部３５との間の部分を底部２３に埋め込むことによって、第１の端子３０及び第２の端子３３を保持している。よって、底部２３の先端側（上側）には前方突出部３１及び３４が突出し、基端側（下側）には後方突出部３２及び３５が突出している。また、側壁部２１は、ソレノイド１０を装着する機器側のコネクタと接続される部分であるが、突出部２７を設けることによって、コネクタ３９を機器側のコネクタに接続する際の向きを特定できるようにしている。突出部２７は、図１（ａ）に示すように、側壁部２１の外方に突出すると共に、図４に示すように、先端側に向かって突出している。ソレノイド１０を装着する機器側のコネクタには、突出部２７に対応する形状の部分が設けられており、コネクタ３９の接続時の向きが特定される。
【００２５】
また、側壁部２１の中心軸方向におけるほぼ中間部となる位置には、第１の筒状部２５及び第２の筒状部２６が形成されている。第１の筒状部２５とび第２の筒状部２６とは、側壁部２１を平面視したときに線対象となる位置に形成されており、本体部２０を基盤部４４に固定するために設けられている。図３及び図４に示すように、基盤部４４の第１のネジ孔４８及び第２のネジ孔４９との中心軸に沿って延びるようにそれぞれ形成されている。したがって、基盤部４４の第１の筒状部２５及び第２の筒状部２６から下側の部分を基盤部４４に導入した状態において、第１の筒状部２５及び第２の筒状部２６を介して基盤部４４の第１のネジ孔４８及び第２のネジ孔４９にネジをねじ込むと、図３に示すように、本体部２０が基盤部４４に固定される。また、ネジ止めであるので、本体部２０を取り外しも容易である。そこで、大きさや形状の異なる本体部を複数種準備しておき、ソレノイド１０を装着する機器に応じて本体部を適宜選択するようにすれば、多様なコネクタに対して接続することが可能となる。さらに、本体部以外の部品の共通化も可能となる。もちろん、第１の筒状部２５及び第２の筒状部２６は、装着する機器の状況に応じて、側壁部２１の中心軸方向における中間部よりも先端側又は基端側にずれた部位に形成してよいことは言うまでもない。なお、側壁部２１は、第１の筒状部２５及び第２の筒状部２６が形成された部位においては、図１（ａ）に示すように、第１の筒状部２５及び第２の筒状部２６と共に、平面視において角丸の略菱形形状を呈する張り出し部２９を構成している。
【００２６】
さらに、本体部２０は、底部２３の基盤部４４に対向する側の面（基端側の面）に凹部２４を形成している。凹部２４は、後方突出部３２及び３５の周囲に空間を確保して、後述するコネクタ３９の組立手順において、後方突出部３２及び３５に対してリード線を巻回することを容易にするために形成されたものである。また、側壁部２１の基端側の端部近傍には、側壁部２１を周方向に一周する環状溝部２８が形成されている。環状溝部２８は、Ｏリングの配置を容易にするために形成しているが、油圧回路に使用しない場合には、省略してもよい。以上のように、この実施の形態に係るソレノイド１０の本体部２０は、第１の筒状部２５及び第２の筒状部２６を側壁部２１の中心軸方向における中間部又はその近傍となる位置に形成しているので、ソレノイド１０を装着する機器側のコネクタに対してコネクタ３９を接続するときに、第１の筒状部２５及び第２の筒状部２６が干渉することがない。また、底部２３に凹部２４を形成しているので、後方突出部３２及び３５にリード線を巻回する作業が容易になる。
【００２７】
スペーサ部４０は、ソレノイド１０の全長を調整する、つまり、ソレノイド１０の中心軸方向における本体部２０と固定磁極７７との間隔を調整するスペーサとして設けられる。前述のように、第３の筒状部４２及び第４の筒状部４３とは、本体部２０に設けられた第１の筒状部２５及び第２の筒状部２６と、基盤部４４の第１のネジ孔４８及び第２のネジ孔４９との間に介在することによって、本体部２０と基盤部４４との間隙を調整し、ひいてはソレノイド１０の全長を調整する役割を果たす。さらに、ソレノイド１０の中心軸方向におけるスペーサ部４０の長さを変更すれば、変更した長さに応じてソレノイド１０の全長をさらに変更することが可能である。連結部４１は、第３の筒状部４２と第４の筒状部４３とを連結するものである。また、スペーサ部４０は、平面視において、本体部２０の第１の筒状部２５及び第２の筒状部２６を設けた部位と同じ角丸の略菱形形状の外形を呈している。なお、連結部４１の平面視における外形は、スペーサとしての機能に影響しないものであれば他の形状であってもよい。
【００２８】
基盤部４４は、コネクタ３９の他の構成要素をケース６７に対して固定させる役割を持ち、第１の円筒状部４５、円錐台筒状部４６及び第２の筒状部２６が一体に成形されている。また、基盤部４４は、先端側を第１の円筒状部４５とし、基端側を第１の円筒状部４５よりも径が大きい第２の円筒状部４７とし、第１の円筒状部４５と第２の円筒状部４７との間の部分を円錐台筒状部４６としている。第１の円筒状部４５は、内周面を本体部２０の側壁部２１の外形に対応する略角柱状に形成されている。また、第１の円筒状部４５は、平面視において、本体部２０の第１の筒状部２５及び第２の筒状部２６を設けた部位と同じ角丸の略菱形形状の外形を呈している。さらに、第１の円筒状部４５の上面側には、略菱形形状の長辺側の隅に当たる部位に第１のネジ孔４８及び第２のネジ孔４９を形成しており、図３に示す  ネジ３６及び３７がねじ込まれる。第２の筒状部２６は、略円筒状に形成されており、ソレノイド１０の組立後はケース６７に収納される。また、図３に示すように、ケース６７に圧入される部分であるので、外径をケース６７の肉薄部６８の内径とほぼ同一にしている。円錐台筒状部４６は、外径及び内径、並びに内周面の形状が異なる第１の円筒状部４５と第２の筒状部２６とを一体にするものある。また、円錐台筒状部４６は、第２の筒状部２６と共に、内周面に囲まれた空間がリード線等の収納空間を提供する。さらに、円錐台筒状部４６の内周面と、第１の円筒状部４５及び第２の筒状部２６の円錐台筒状部４６の内周面の近傍部分の領域を連続した略円錐台形状に形成しているので、第２の筒状部２６の外周面とケース６７の内周面に圧入するときに、リード線６１及び６２がこの略円錐台形状に形成した内周面の奥側に誘い込まれるので作業が容易になるという利点がある。
【００２９】
なお、この実施の形態に係るソレノイド１０では、第２の筒状部２６をケース６７に圧入するが、第２の筒状部２６の外周面とケース６７の内周面にネジ溝を形成し、第２の筒状部２６をねじ込む構成にしてもよい。さらに、次のように構成してもよい。第２の筒状部２６の外周面とケース６７の内周面とのいずれか一方に端面からソレノイド１０の中心軸に平行に延びる溝と、この平行に延びる溝の先端部から周方向に延びるように、かつ、先に行くほど狭くなっている溝を形成し、他方に円筒形状などに形成され、周方向に延びる溝の先端近い部分の幅と同じ径にした突起部を形成する。この突起部を中心軸に平行に延びる溝内に挿入しつつ第２の筒状部２６をケース６７に押し込んで行き、平行に延びる溝の先端部に突き当たったところで、今度は突起部が周方向に延びる溝の先端部に向かって摺動するように第２の筒状部２６を回転させる。突起部は、周方向に延びる溝の先端近い部分のところで、この溝に挟まってそれ以上摺動できなくなり、その位置で固定される。このようにして、基盤部４４をケース６７に固定してもよい。すなわち、本発明において、特許請求の範囲又はその他の部分の記載において、「ねじこみ」とは、基盤部及びケースにネジ山を形成して固定する構成だけでなく、基盤部とケースとの一方に溝を形成し、他方に突起部を形成して構成も含むものと定義する。
【００３０】
図４に示す内蓋５０は、コネクタ３９の構成要素ではないが、円錐台筒状部４６及び第２の筒状部２６と共にリード線等の収納空間を提供する。くわえて、前述のように、ケース６７の内部に収納される構成要素を保護し、さらにケース６７の内部に浸潤した液体がコネクタ３９側に漏出することを防止する。有底円筒状部５１の周縁部には鍔状の円板状部５２が形成されている。さらに、円板状部５２の外縁部にはＯリング５７を配置するための環状溝部５３が形成されている。有底円筒状部５１の内周面５４側は、図３に示すように、円筒状スリーブ５９が設けられる空間である。また、図３に示すように、内蓋５０の円板状部５２は、ケース６７の段差部８９に対して当接した状態で嵌合されている。さらに、円板状部５２の外側面に対して基盤部４４の第２の筒状部２６が当接した状態で嵌合されている。したがって、ソレノイド１０の組立時に、円板状部５２が段差部８９に当接するところまで内蓋５０を圧入し、次に第２の筒状部２６が円板状部５２に当接するところまで基盤部４４を圧入する。さらに、基盤部４４に対して第１の円筒状部４５及び円錐台筒状部４６をネジ止めすれば、コネクタ３９を精確に組み立てることができ、ソレノイド１０の全長も所定のものとなる。さらに、円板状部５２には、図３に示すように、リード線６１及び６２を挿通する貫通孔５６が形成されている。また、環状切り欠き部５５は、Ｏリング５８を配置するために形成している。
【００３１】
ボビン７０は、図２に示すように、内蓋５０と固定磁極７７との間に介在しており、これらによって所定の位置に保持されている。また、ボビン７０は、固定磁極７７の接続部８１側の端部に第１の鍔状部７１が設けられており、内蓋５０側の端部近傍に第２の鍔状部７２が設けられ、さらに内蓋５０側の端部に第３の鍔状部７３が設けられている。第１の鍔状部７１と第２の鍔状部７２との間には、コイル６０を設けている。第２の鍔状部７２と第３の鍔状部７３との間隙は、コイル６０を構成するコイルワイヤの図示していない２本の端部とリード線６１及び６２とを接続した部分を収納する空間である。くわえて、図３に示すように、第３の鍔状部７３には切り欠き部７４が形成されており、切り欠き部７４を介してリード線６１及び６２を内蓋５０の貫通孔５６に挿入し、円錐台筒状部４６及び第２の筒状部２６と内蓋５０からなる収納空間まで挿通させている。さらに、リード線６１及び６２は、貫通孔５６に挿通されたゴムブッシュ６５の下方突出部６６側から上方に向かって挿通されており、このゴムブッシュ６５によって配置が保持されている。
【００３２】
さらに、リード線６１とリード線６２とは、第１の端子３０の後方突出部３２と第２の端子３３の後方突出部３５に巻回し、さらにハンダ６３とハンダ６４とによって第１の端子３０と第２の端子３３とに接続されている。第１の端子３０と第２の端子３３とリード線６１とリード線６２とを接続した部分を収納する空間は、図３に示すように、下方に拡がる略円錐台形状に形成されている。後述するように、第１の端子３０と第２の端子３３とリード線６１とリード線６２との接続作業は、基盤部４４をケース６７の肉薄部６８に圧入する前に行うが、略円錐台形状の空間内で接続するので、作業が容易になるという利点もある。
【００３３】
固定磁極７７は、略円筒状に形成された本体部７８の第１の鍔状部７１に近い側の端部近傍の部分に鍔状に形成された被嵌合部８０を設け、端部に被嵌合部８０よりも径が小さい接続部８１を設けている。被嵌合部８０は、ケース６７に圧入される部分であり、固定部材８２を圧入する部分である。固定部材８２は、装着する機器に固定するための部材であり、開口部８３及び８４に図示していないボルトを挿通して固定する。接続部８１よりも外側には、装着する機器の油圧回路に接続するための接続部８１を設けている。また、固定磁極７７は、中心軸に沿って貫通孔が形成されており、この貫通孔にシャフト８５が摺動可能に挿入されている。くわえて、固定磁極７７の可動磁極７５側の端部近傍の部分は、円筒状スリーブ５９の内部に嵌合されている。
【００３４】
可動磁極７５は、図３に示すように、略円筒状に形成されており、さらに中心軸に沿って貫通孔が形成されている。この貫通孔に対してシャフト８５が嵌合されている。コイル６０に通電すると、固定磁極７７、ケース６７、内蓋５０及び可動磁極７５による磁気回路が生成され、可動磁極７５が固定磁極７７に吸引されてシャフト８５が接続部８１から突出する。なお、可動磁極７５と固定磁極７７との間にスペーサ８７が介在しているので、吸引された可動磁極７５が固定磁極７７に当接することはない。また、可動磁極７５には、内蓋５０側に凹陥部７６が形成されており、スプリング８６が挿入されている。スプリング８６は、両端部が可動磁極７５と円筒状スリーブ５９とに当接した状態に設けられており、可動磁極７５の摺動を加勢する。なお、この実施の形態のソレノイド１０は、スプール弁に接続することを想定しているが、他の用途に使用する場合はスプリングの配置等を適宜変更すればよい。また、ソレノイド１０は、いわゆるオン・オフソレノイドと比例ソレノイドのいずれにも適用できる。さらに、ソレノイド１０を油圧回路で使用するので、Ｏリング３８、５７、５８及び８８を設けて作動油の浸出を防止している。
【００３５】
次に、本発明の第１の実施の形態に係るソレノイドのコネクタの組立手順の概要について説明する。図５は、本発明の第１の実施の形態に係るソレノイドのコネクタの組立手順を示す平面図（１）である。図５において、９０及び９１はコイルワイヤ端部であり、その他の符号は図３と同じものを示す。また、図６は、本発明の第１の実施の形態に係るソレノイドのコネクタの組立手順を示す平面図（２）である。図６は、において用いた符号は、すべて図３と同じものを示す。さらに、図７は、本発明の第１の実施の形態に係るソレノイドのコネクタの組立手順を示す平面図（３）である。図７において、９２及び９３は巻き付け部分であり、その他の符号は図３と同じものを示す。くわえて、図８は、本発明の第１の実施の形態に係るソレノイドのコネクタの組立手順を示す平面図（４）である。図８において用いた符号は、すべて図３と同じものを示す。また、図９は、本発明の第１の実施の形態に係るソレノイドのコネクタの組立手順を示す平面図（５）である。図９において用いた符号は、すべて図３と同じものを示す。また、図１０は、本発明の第１の実施の形態に係るソレノイドのコネクタの組立手順を示す平面図（６）である。図１０において用いた符号は、すべて図３と同じものを示す。
【００３６】
まず、コネクタ３９を組み立てる前に、内蓋５０からの部分をあらかじめ組み立てておく。そして、図５に示すように、ボビン７０の切り欠き部７４を介してコイル６０のコイルワイヤ端部９０及び９１を外部に引き出す。次に、図６に示すように、コイルワイヤ端部９０及び９１と、リード線６１及び６２とを接続し、接続部とその前後の部分をボビン７０の第２の鍔状部７２と第３の鍔状部との間隙部分に巻き付けるようにして収納する。続けて、リード線６１及び６２を下方突出部６６側からゴムブッシュ６５に挿通してリード線６１及び６２を保持させる。次に、内蓋５０の円板状部５２がケース６７の段差部８９に当接するところまで内蓋５０を圧入し、図６に示す状態とする。
【００３７】
続けて、図７に示すように、第１の端子３０の後方突出部３２に対して絶縁被覆を剥がしたリード線６１の端部近傍の部分を巻回すると共に、第２の端子３３の後方突出部３５に対して絶縁被覆を剥がしたリード線６２の端部近傍の部分を巻回して、巻き付け部分９２及び９３に示した状態にする。さらに、図８に示すように、後方突出部３２のリード線６１を巻回した部分と、後方突出部３５のリード線６２を巻回した部分とをそれぞれハンダ６３とハンダ６４で固定する。次に、図９に示すように、本体部２０とスペーサ部４０及び基盤部４４をネジ３６及び３７をねじ込んで一体のものとする。続けて、図１０に示すように、基盤部４４の第２の円筒状部４７をケース６７の肉薄部６８に対して内蓋５０に当接するまで圧入する。さらに、肉薄部６８の端部近傍の部分を押圧して図３に示す変形部６９とし、基盤部４４をケース６７に固定する。なお、基盤部４４をケース６７に固定しても、ネジ３６及び３７を取り外すことによって本体部２０及びスペーサ部４０を離脱させることが可能である。したがって、リード線６１及び６２を図３に示したものよりも長くすれば、基盤部４４をケース６７に固定した後に、後方突出部３２及び３５にリード線６１及び６２をそれぞれ巻回する、さらに、基盤部４４の固定以外のこれ以降の手順を実施することも可能である。ただし、リード線６１及び６２が過剰に長いものとなるので、図７乃至図１０に示した手順で行うことが望ましい。
【００３８】
以上のように、本発明の第１の実施の形態に係るソレノイド１０は、第１の端子３０及び第２の端子３３と本体部２０がケース６７に固定された基盤部４４に対して着脱可能であるので、装着する機器に最も適合する長さ、大きさ又は形状の第１の端子３０及び第２の端子３３又は本体部２０を選択的に設けることが可能となる。したがって、第１の端子３０及び第２の端子３３又は本体部２０をあらかじめ複数種類準備することによって、コネクタ３９の突出している方向を変更する、又は、コネクタ３９のケース６７から突出している長さを変更することが可能となる。また、ネジ３６及び３７による固定に供する第１の筒状部２５及び第２の筒状部２６を本体部２０の中心軸方向における中間部又はその近傍となる位置からから基盤部４４の第１のネジ孔４８及び第２のネジ孔４９に向かって延びるように形成されているので、第１の筒状部２５及び第２の筒状部２６が本体部２０の先端部近傍には形成されていない。したがって、コネクタ３９に機器側のコネクタを接続する際に、第１の筒状部２５及び第２の筒状部２６が接続を妨げることがない。さらに、スペーサ部４０の長さを適宜変更することによって、コネクタ３９のケース６７から突出している長さを最も好ましいものに変更することができる。くわえて、ケース６７の段差部８９によって圧入深さが設定されている内蓋５０を基盤部４４の圧入深さの設定に利用するので、基盤部４４をケース６７に対して精確な位置に配置してソレノイド１０の組立を行うことができる。また、ケースの径が相対的に大きいソレノイドに対して本発明を適用する場合においても、本体部２０の径を大きくせず、基盤部の径を変更するだけでよいので、同じ大きさのコネクタの本体部を径の異なるソレノイドに装着することが可能となる。
【００３９】
さらに、本発明の第２の実施の形態に係るソレノイドについて説明する。図１１は、本発明の第２の実施の形態に係るソレノイドの平面図である。図１１において、１１０はソレノイド、１２１は側壁部、１２７は突出部、１２９は張り出し部、１３６及び１３７はネジ、１６７はケース、１６９は変形部、１８２は固定部材、１８４は開口部、１９４は屈曲部である。また、図１２は、本発明の第２の実施の形態に係るソレノイドの部分拡大Ｂ−Ｂ線断面図である。図１２において、１２０はコネクタ、１２２は内周面、１２３は底部、１２４は凹部、１２５は第１の筒状部、１２６は第２の筒状部、１３０は第１の端子、１３１は前方突出部、１３２は後方突出部、１３３は第２の端子、１３４は前方突出部、１３５は後方突出部、１３８はＯリング、１３９はコネクタ、１４５は第１の円筒状部、１４６は円錐台筒状部、１４７は第２の円筒状部、１５２は円板状部、１５７及び１５８はＯリング、１５９は円筒状スリーブ、１６０はコイル、１６１及び１６２はリード線、１６３及び１６４はハンダ、１６８は肉薄部、１７０はボビン、１７２は第２の鍔状部、１７３は第３の鍔状部、１７５は可動磁極、１７６は凹陥部、１７７は固定磁極、１８５はシャフト、１８９は段差部であり、その他の符号は図１１と同じものを示す。さらに、図１３は、本発明の第２の実施の形態に係るソレノイドの部分拡大Ｃ−Ｃ線断面図である。図１３において、１４４は基盤部、１５０は内蓋、１５１は有底円筒状部、１６５  はゴムブッシュ、１６６は下方突出部、１７４は切り欠き部、１８６はスプリングであり、その他の符号は図１１及び図１２と同じものを示す。
【００４０】
本発明の第２の実施の形態に係るソレノイド１１０は、本体部１２０がソレノイド１１０の中心軸方向に沿って延びているのではなく、側壁部１２１よりも基端側にある屈曲部１９４においてソレノイド１１０の中心軸と直交する方向に屈曲している。つまり、コネクタ１３９が逆Ｌ字状に屈曲した状態に設けられている。したがって、側壁部１２１は、中心軸と直交する方向に向かって延びており、内周面１２２もソレノイド１１０の中心軸と直交する方向に向かって延びている。同様に、突出部１２７もソレノイド１１０の中心軸と直交する方向に向かって延びている。第１の端子１３０の前方突出部１３１及び第２の端子１３３の前方突出部１３４も図示していない部位において屈曲し、先端部近傍の部分がソレノイド１１０の中心軸と直交する方向に向かって延びている。なお、底部１２３、凹部１２４、第１の筒状部１２５、第２の筒状部１２６、張り出し部１２９、後方突出部１３２及び１３５、ネジ１３６及び１３７、Ｏリング１３８、基盤部１４４、第１の円筒状部１４５、円錐台筒状部１４６、第２の円筒状部１４７、内蓋１５０、有底円筒状部１５１、円板状部１５２、Ｏリング１５７及び１５８、円筒状スリーブ１５９、コイル１６０、リード線１６１及び１６２、ハンダ１６３及び１６４、ゴムブッシュ１６５、下方突出部１６６、ケース１６７、肉薄部１６８、変形部１６９、ボビン１７０、第２の鍔状部１７２、第３の鍔状部１７３、切り欠き部１７４、可動磁極１７５、凹陥部１７６、固定磁極１７７、固定部材１８２、開口部１８４、シャフト１８５、スプリング１８６、段差部１８９については、第１の実施の形態に係るソレノイド１０と同じである。
【００４１】
以上のように、ソレノイド１１０は、本体部１２０がソレノイド１１０の中心軸と直交する方向に向かって延びているが、屈曲部１９４において屈曲させる角度は図１３に示した９０度に限られるものではなく、例えば４５度、６０度、７５度などにすることが可能である。したがって、本発明の第２の実施の形態に係るソレノイドは、コネクタ１３９とリード線１６１及び１６２との接続作業を容易にできる上に、コネクタ１３９の突出している方向を自在に変更できるという利点がある。
【００４２】
本発明は、以上に説明した内容に限定されるものではなく、例えば、シャフトに弁体を付加したソレノイドや、直動型ではなく回転型のソレノイドに適用してもよい。このように、各請求項に記載した範囲を逸脱しない限りにおいて種々の変形を加えることが可能である。
【符号の説明】
【００４３】
１０    ソレノイド
２０    本体部
２１    側壁部
２２    内周面
２３    底部
２４    凹部
２５    第１の筒状部
２６    第２の筒状部
２７    突出部
２８    環状溝部
２９    張り出し部
３０    第１の端子
３１    前方突出部
３２    後方突出部
３３    第２の端子
３４    前方突出部
３５    後方突出部
３６    ネジ
３７    ネジ
３８    Ｏリング
３９    コネクタ
４０    スペーサ部
４１    連結部
４２    第３の筒状部
４３    第４の筒状部
４４    基盤部
４５    第１の円筒状部
４６    円錐台筒状部
４７    第２の円筒状部
４８    第１のネジ孔
４９    第２のネジ孔
５０    内蓋
５１    有底円筒状部
５２    円板状部
５３    環状溝部
５４    内周面
５５    環状切り欠き部
５６    貫通孔
５７    Ｏリング
５８    Ｏリング
５９    円筒状スリーブ
６０    コイル
６１    リード線
６２    リード線
６３    ハンダ
６４    ハンダ
６５    ゴムブッシュ
６６    下方突出部
６７    ケース
６８    肉薄部
６９    変形部
７０    ボビン
７１    第１の鍔状部
７２    第２の鍔状部
７３    第３の鍔状部
７４    切り欠き部
７５    可動磁極
７６    凹陥部
７７    固定磁極
７８    本体部
７９    円板状部
８０    被嵌合部
８１    接続部
８２    固定部材
８３    開口部
８４    開口部
８５    シャフト
８６    スプリング
８７    スペーサ
８８    Ｏリング
８９    段差部
９０    コイルワイヤ端部
９１    コイルワイヤ端部
９２    巻き付け部分
９３    巻き付け部分
１１０  ソレノイド
１２０  本体部
１２１  側壁部
１２２  内周面
１２３  底部
１２４  凹部
１２５  第１の筒状部
１２６  第２の筒状部
１２７  突出部
１２９  張り出し部
１３０  第１の端子
１３１  前方突出部
１３２  後方突出部
１３３  第２の端子
１３４  前方突出部
１３５  後方突出部
１３６  ネジ
１３７  ネジ
１３８  Ｏリング
１３９  コネクタ
１４４  基盤部
１４５  第１の円筒状部
１４６  円錐台筒状部
１４７  第２の円筒状部
１５０  内蓋
１５１  有底円筒状部
１５２  円板状部
１５７  Ｏリング
１５８  Ｏリング
１５９  円筒状スリーブ
１６０  コイル
１６１  リード線
１６２  リード線
１６３  ハンダ
１６４  ハンダ
１６５  ゴムブッシュ
１６６  下方突出部
１６７  ケース
１６８  肉薄部
１６９  変形部
１７０  ボビン
１７２  第２の鍔状部
１７３  第３の鍔状部
１７４  切り欠き部
１７５  可動磁極
１７６  凹陥部
１７７  固定磁極
１８２  固定部材
１８４  開口部
１８５  シャフト
１８６  スプリング
１８９  段差部
１９４  屈曲部
２００  ソレノイド
２０１  ボビン
２０２  第１のコイルターミナル
２０３  外部接続部
２０４  リード線絡げ部
２０５  第２のコイルターミナル
２０６  外部接続部
２０７  リード線絡げ部
２０８  コネクタ部
２０９  第１のフランジ部
２１０  第２のフランジ部
２１１  第３のフランジ部
２１２  第４のフランジ部
２１３  ケース
２１４  可動磁極
２１５  固定磁極
２１６  コイル
【図１】
0006623394.tif 000002
【図２】
0006623394.tif 000003
【図３】
0006623394.tif 000004
【図４】
0006623394.tif 000005
【図５】
0006623394.tif 000006
【図６】
0006623394.tif 000007
【図７】
0006623394.tif 000008
【図８】
0006623394.tif 000009
【図９】
0006623394.tif 000010
【図１０】
0006623394.tif 000011
【図１１】
0006623394.tif 000012
【図１２】
0006623394.tif 000013
【図１３】
0006623394.tif 000014
【図１４】
0006623394.tif 000015